(57)【要約】【課題】画像表示品質の低下を抑えつつデータ電極駆動回路の消費電力を抑制する。【解決手段】表示電極対とデータ電極との交差部に放電セルを形成したパネルと、重みの定められた複数のサブフィールドで１フィールドを構成し、画像信号をサブフィールドそれぞれの点灯または非点灯を示す画像データに変換する画像信号処理回路と、画像データに基づきデータ電極を駆動するデータ電極駆動回路とを備えたプラズマディスプレイ装置であって、画像信号処理回路は、画像データに基づきデータ電力駆動回路の消費電力を算出し、画像データに基づき絵柄負荷を算出し、算出した消費電力が第１閾値を超えたときデータ電力駆動回路の消費電力を小さくするデータ電力削減信号処理を行い、算出した消費電力が第１閾値よりも低い第２閾値を下回ったときデータ電力削減信号処理を解除し、第２閾値を絵柄負荷によって変化させる。【選択図】図６
2014016441.tif 000002
【特許請求の範囲】
【請求項１】
表示電極対とデータ電極との交差部に放電セルを形成したパネルと、重みの定められた複数のサブフィールドで１フィールドを構成し、画像信号をサブフィールドそれぞれの点灯または非点灯を示す画像データに変換する画像信号処理回路と、前記画像データに基づき前記データ電極を駆動するデータ電極駆動回路とを備えたプラズマディスプレイ装置であって、前記画像信号処理回路は、前記画像データに基づき前記データ電極駆動回路の消費電力を算出し、前記画像データに基づき絵柄負荷を算出し、算出した消費電力が第１閾値を超えたときデータ電極駆動回路の消費電力を小さくするデータ電力削減信号処理を行い、算出した消費電力が前記第１閾値よりも低い第２閾値を下回ったとき前記データ電力削減信号処理を解除し、前記第２閾値を前記絵柄負荷によって変化させることを特徴とするプラズマディスプレイ装置。
【請求項２】
前記絵柄負荷が大きい場合、前記絵柄負荷が小さい場合に比べて前記第２閾値を低く設定することを特徴とする請求項１に記載のプラズマディスプレイ装置。
【発明の詳細な説明】
【技術分野】
【０００１】
本発明は、点灯または非点灯の２値制御を組み合わせて階調を表示するプラズマディスプレイ装置に関する。
【背景技術】
【０００２】
点灯または非点灯の２値制御を行う表示装置としてのプラズマディスプレイパネル（以下、「パネル」と略記する）は、１対の走査電極と維持電極とからなる表示電極対が複数形成された前面基板と、複数の平行なデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させる。
【０００３】
点灯または非点灯の２値制御を組み合わせて階調を表示する方法としては、１フィールドを点灯輝度の異なる複数のサブフィールドに分割し、点灯させるサブフィールドの組み合わせによって所望の階調を表示する、いわゆるサブフィールド法が一般的である。各サブフィールドは書込み期間および維持期間を有する。書込み期間では画像信号に応じた書込みパルスをデータ電極に印加して点灯させるべき放電セルで書込み放電を発生し壁電荷を形成する。そして維持期間では、走査電極と維持電極とからなる表示電極対にあらかじめ定められた数の維持パルスを印加して壁電荷を形成した放電セルで維持放電を発生させ、維持パルスの数に応じた輝度で点灯させる。
【０００４】
プラズマディスプレイ装置は、入力した画像信号を、放電セルのサブフィールド毎の点灯・非点灯を示すサブフィールドコードに変換する画像信号処理回路を備えている。画像信号処理回路は、例えばＲＯＭ等を用いた変換テーブルを用いて構成され、画像信号の１つの入力レベルに対して１つのサブフィールドコードが出力される。
【０００５】
またプラズマディスプレイ装置は、各電極を駆動するための電極駆動回路を備え、必要な駆動電圧波形をそれぞれの電極に印加する。この中で、データ電極駆動回路は画像信号に基づいて多数のデータ電極毎に独立に書込み動作のための書込みパルスを印加する必要があるので、通常は専用ＩＣ（「データドライバ」と呼称する）を用いて構成されている。データ電極駆動回路側からパネルを見ると、各データ電極は隣接するデータ電極、走査電極および維持電極との間の浮遊容量をもつ容量性の負荷である。したがって各データ電極に駆動電圧波形を印加するためにはこの容量を充放電しなければならず、その消費電力はパネルの大型化、高精細化に伴い、無視できないものになっており、データ電極駆動回路保護のためには消費電力を極力小さく抑える必要がある。
【０００６】
データ電極駆動回路の消費電力（以下、「データ電力」と呼称する）を抑える方法として、例えば特許文献１、特許文献２、のようにさまざまな信号処理で消費電力を制限する方法が開示されている。
【先行技術文献】
【特許文献】
【０００７】
【特許文献１】特開２００９−２５１２６６号公報
【特許文献２】特開２０１０−１９７９０３号公報
【発明の概要】
【発明が解決しようとする課題】
【０００８】
データ電力を削減するためにデータ電極駆動ＩＣのそれぞれの消費電力を算出し、算出結果が設定した閾値を下回るまで画像信号処理を行う。この場合、信号処理の発振動作を防止するため、一定のヒステリシス幅を持たせた画像信号処理解除閾値を設定している。しかしながらヒステリシス幅は画像パターンにより最適値が異なるため、発振を防止させるためにはある程度過剰な幅設定を確保することが必要になっていた。この場合、データ電力削減処理が動作した後、解除されるためには、十分にデータ電力の低い画像信号が入力されることが条件となり、この間、必要以上に画像信号処理が働き、画像表示品質が低下するという課題があった。
【０００９】
本発明はこれらの課題に鑑みなされたものであり、画像表示品質の低下を抑えつつデータ電力を抑制する機能を有するプラズマディスプレイ装置を提供することを目的とする。
【課題を解決するための手段】
【００１０】
上記目的を達成するために本発明は、表示電極対とデータ電極との交差部に放電セルを形成したパネルと、重みの定められた複数のサブフィールドで１フィールドを構成し、画像信号をサブフィールドそれぞれの点灯または非点灯を示す画像データに変換する画像信号処理回路と、前記画像データに基づき前記データ電極を駆動するデータ電極駆動回路とを備えたプラズマディスプレイ装置であって、前記画像信号処理回路は、前記画像データに基づき前記データ電極駆動回路の消費電力を算出し、前記画像データに基づき絵柄負荷を算出し、算出した消費電力が第１閾値を超えたときデータ電極駆動回路の消費電力を小さくするデータ電力削減信号処理を行い、算出した消費電力が前記第１閾値よりも低い第２閾値を下回ったとき前記データ電力削減信号処理を解除し、前記第２閾値を前記絵柄負荷によって変化させることを特徴とする。この構成により、画像表示品位の低下を抑えながらデータ電力を抑制したプラズマディスプレイ装置を提供することができる。
【発明の効果】
【００１１】
本発明によれば、データ電力削減用の画像信号処理回路を備え、さらに画像表示品質の低下を抑えながらデータ電力を抑制する機能を有するプラズマディスプレイ装置を提供することが可能となる。
【図面の簡単な説明】
【００１２】
【図１】本発明の実施の形態におけるプラズマディスプレイ装置のパネルの分解斜視図
【図２】同プラズマディスプレイ装置のパネルの電極配列図
【図３】同プラズマディスプレイ装置のパネルの各電極に印加する駆動電圧波形図
【図４】１フィールド期間を８個のサブフィールドで構成した場合のコードセットの一例を示す図
【図５】同プラズマディスプレイ装置の回路ブロック図
【図６】同プラズマディスプレイ装置の画像信号処理回路のブロック図
【図７】同プラズマディスプレイ装置のデータ電力算出部の回路ブロック図
【図８】同プラズマディスプレイ装置の絵柄負荷算出部で使用するコードセット例を示す図
【図９】同プラズマディスプレイ装置の制御閾値決定方法を説明する図
【図１０Ａ】同プラズマディスプレイ装置の画像処理動作を説明する図
【図１０Ｂ】同プラズマディスプレイ装置の画像処理動作を説明する図
【図１０Ｃ】同プラズマディスプレイ装置の画像処理動作を説明する図
【発明を実施するための形態】
【００１３】
以下、本発明の実施の形態におけるプラズマディスプレイ装置について、図面を用いて説明する。
【００１４】
（実施の形態１）
図１は、本発明の実施の形態におけるプラズマディスプレイ装置のパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に点灯する蛍光体層２５が設けられている。
【００１５】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、放電ガスとして、例えばネオンとキセノンとの混合ガスが封入されている。放電空間は隔壁２４によって複数の区画に仕切られており、表示電極対１４とデータ電極２２とが交差する部分に放電セルが形成されている。そしてこれらの放電セルが点灯することにより画像が表示される。
【００１６】
図２は、本発明の実施の形態におけるプラズマディスプレイ装置のパネル１０の電極配列図である。パネル１０には、行方向に長いｎ本の走査電極１２およびｎ本の維持電極１３が配列され、列方向に長いｍ本のデータ電極２２が配列されている。そして１対の走査電極１２および維持電極１３と１つのデータ電極２２とが交差した部分に放電セルが形成され、放電セルは放電空間内にｍ×ｎ個形成されている。
【００１７】
次に、パネル１０を駆動するための駆動電圧波形とその動作について説明する。プラズマディスプレイ装置は、サブフィールド法、すなわち重み（輝度重み）の定められた複数のサブフィールドで１フィールドを構成し、サブフィールドのそれぞれで各放電セルの点灯・非点灯を制御して階調を表示する。
【００１８】
それぞれのサブフィールドは初期化期間、書込み期間および維持期間を有する。初期化期間では初期化放電を発生し、続く書込み放電に必要な壁電荷を各電極上に形成する初期化動作を行う。書込み期間では、点灯させるべき放電セルで選択的に書込み放電を発生し壁電荷を形成する書込み動作を行う。そして維持期間では、サブフィールド毎にあらかじめ決められた重みに応じた数の維持パルスを表示電極対の走査電極１２と維持電極１３とに交互に印加して、書込み放電を発生した放電セルで維持放電を発生させて点灯させる。
【００１９】
図３は、本発明の実施の形態におけるプラズマディスプレイ装置のパネル１０の各電極に印加する駆動電圧波形図である。
【００２０】
サブフィールドＳＦ１の初期化期間Ｔｉの前半部では、データ電極２２、維持電極１３にそれぞれ電圧０（Ｖ）を印加し、走査電極１２には、電圧Ｖｉ１から電圧Ｖｉ２まで緩やかに上昇する上り傾斜波形電圧を印加する。すると走査電極１２と維持電極１３、走査電極１２とデータ電極２２との間でそれぞれ微弱な初期化放電が起こる。そして走査電極１２上に負の壁電圧が蓄積されるとともに、データ電極２２上および維持電極１３上には正の壁電圧が蓄積される。ここで、電極上の壁電圧とは電極を覆う誘電体層上、保護層上、蛍光体層上等に蓄積された壁電荷により生じる電圧を表す。
【００２１】
初期化期間Ｔｉの後半部では、維持電極１３に正の電圧Ｖｅを印加し、走査電極１２には、電圧Ｖｉ３からＶｉ４まで緩やかに下降する下り傾斜波形電圧を印加する。すると走査電極１２と維持電極１３、走査電極１２とデータ電極２２との間でそれぞれ微弱な初期化放電が起こる。そして走査電極１２上の負の壁電圧および維持電極１３上の正の壁電圧が弱められ、データ電極２２上の正の壁電圧は書込み動作に適した値に調整される。
【００２２】
なお、初期化期間の動作としては、サブフィールドＳＦ２の初期化期間に示したように、所定の電圧（図３では電圧０（Ｖ））から電圧Ｖｉ４に向かって緩やかに下降する下り傾斜波形電圧を走査電極１２に印加するだけでもよい。この場合には、直前のサブフィールドで維持放電を行った放電セルのみで選択的に初期化放電が発生する。
【００２３】
続く書込み期間Ｔｗでは、維持電極１３に電圧Ｖｅを印加し、走査電極１２に電圧Ｖｃを印加する。
【００２４】
次に、１行目の走査電極１２に電圧Ｖａの走査パルスを印加するとともに、データ電極２２のうち１行目に点灯させるべき放電セルのデータ電極２２に電圧Ｖｄの書込みパルスを印加する。するとデータ電極２２上と走査電極１２上との交差部の電圧差は放電開始電圧を超え、データ電極２２と走査電極１２との間および維持電極１３と走査電極１２との間に書込み放電が発生する。そして走査電極１２上に正の壁電圧が蓄積され、維持電極１３上に負の壁電圧が蓄積され、データ電極２２上にも負の壁電圧が蓄積される。
【００２５】
このようにして、１行目に点灯させるべき放電セルで書込み放電を起こして各電極上に壁電圧を蓄積する書込み動作が行われる。一方、書込みパルスを印加しなかったデータ電極２２と走査電極１２との交差部の電圧は放電開始電圧を超えないので、書込み放電は発生しない。以上の書込み動作をｎ行目の放電セルに至るまで行い、書込み期間Ｔｗが終了する。
【００２６】
続く維持期間Ｔｓでは、維持電極１３に電圧０（Ｖ）を印加するとともに走査電極１２に電圧Ｖｓの維持パルスを印加する。すると書込み放電を起こした放電セルでは、走査電極１２上と維持電極１３上との電圧差が放電開始電圧を超え、走査電極１２と維持電極１３との間で維持放電が発生し蛍光体層２５が発光して放電セルが点灯する。そして走査電極１２上に負の壁電圧が蓄積され、維持電極１３上に正の壁電圧が蓄積される。さらにデータ電極２２上にも正の壁電圧が蓄積される。
【００２７】
ただし、書込み期間Ｔｗにおいて書込み放電を起こさなかった放電セルでは維持放電は発生せず、初期化期間Ｔｉの終了時における壁電圧が保たれる。
【００２８】
続いて、走査電極１２には電圧０（Ｖ）を、維持電極１３には電圧Ｖｓの維持パルスをそれぞれ印加する。すると、維持放電を起こした放電セルでは再び維持放電が起こり、維持電極１３上に負の壁電圧が蓄積され走査電極１２上に正の壁電圧が蓄積される。以降、階調重みに応じた数の維持パルスを走査電極１２と維持電極１３とに交互に印加して、放電セルを点灯させる。
【００２９】
そして、維持期間Ｔｓの最後には、維持電極１３を電圧０（Ｖ）に戻した後、走査電極１２に電圧Ｖｒまで緩やかに上昇する上り傾斜波形電圧を印加する。すると、維持放電を起こした放電セルの維持電極１３と走査電極１２との間で弱い放電が起こり、走査電極１２上と維持電極１３上との間の壁電圧が弱められる。その後、走査電極１２に印加する電圧を電圧０（Ｖ）に戻す。こうして維持期間Ｔｓが終了する。
【００３０】
続くサブフィールドＳＦ２およびそれ以降のサブフィールドの動作は維持パルスの数を除いて上述した動作とほぼ同様である。
【００３１】
なお、本実施の形態において各電極に印加する電圧値は、例えば、電圧Ｖｉ１＝１４０（Ｖ）、電圧Ｖｉ２＝３４０（Ｖ）、電圧Ｖｉ３＝２００（Ｖ）、電圧Ｖｉ４＝−１９０（Ｖ）、電圧Ｖｃ＝−６０（Ｖ）、電圧Ｖａ＝−２００（Ｖ）、電圧Ｖｓ＝２００（Ｖ）、電圧Ｖｒ＝２００（Ｖ）、電圧Ｖｅ＝１３０（Ｖ）、電圧Ｖｄ＝７０（Ｖ）である。ただしこれらの値は、単に一例を挙げたに過ぎず、パネル１０の特性やプラズマディスプレイ装置の仕様等に合わせて、適宜最適な値に設定することが望ましい。
【００３２】
このようにしてサブフィールド法においては、１フィールドをあらかじめ重みの定められた複数のサブフィールドで構成し、放電セルを点灯させるサブフィールドの組合せにより階調を表示している。以下、サブフィールドのそれぞれの点灯または非点灯の組合せを「サブフィールドコード」または単に「コード」と呼ぶ。
【００３３】
図４は、１フィールド期間を８個のサブフィールドＳＦ１〜ＳＦ８で構成した場合のコードセットの一例を示す図である。ここで最も左の列に示した数値は階調を示し、その右側にはその階調を表示する際に各サブフィールドで放電セルを点灯させるか否か、すなわちサブフィールドコードを示している。ここで空欄は非点灯、「１」は点灯を示す。例えば図４において、階調「２」を表示するためには、サブフィールドＳＦ２でのみ放電セルを点灯させればよく、この場合のサブフィールドコードは「０１００００００」である。また階調「１４」を表示するためには、サブフィールドＳＦ１、ＳＦ２、ＳＦ３およびＳＦ５で放電セルを点灯させればよく、この場合のサブフィールドコードは「１１１０１０００」である。
【００３４】
図５は、本発明の実施の形態におけるプラズマディスプレイ装置３０の回路ブロック図である。プラズマディスプレイ装置３０は、パネル１０、画像信号処理回路３１、データ電極駆動回路３２、走査電極駆動回路３３、維持電極駆動回路３４、タイミング発生回路３５および各回路ブロックに必要な電源を供給する電源回路（図示せず）を備えている。
【００３５】
画像信号処理回路３１は、画像信号をサブフィールドそれぞれの点灯または非点灯の組合せを示すサブフィールドコードに変換する。すなわち、画像信号を入力し、階調を表示するためのサブフィールドコードである表示コードを出力する。
【００３６】
データ電極駆動回路３２は、サブフィールドコードに基づきそれぞれの放電セルの点灯または非点灯を制御して画像を表示する。すなわち、データ電極駆動回路３２は、画像信号処理回路３１から出力された表示コードを各データ電極Ｄ１〜Ｄｍに対応する書込みパルスに変換し、各データ電極Ｄ１〜Ｄｍに印加することにより、各データ電極Ｄ１〜Ｄｍを駆動する。ここで、データ電極駆動回路３２は複数個の専用ＩＣ（以下、「データドライバ」と呼称する）を用いて構成されている。このように多数のデータ電極を駆動する駆動回路をＩＣ化することにより回路をコンパクトにまとめることができ、実装面積も小さくなりコストも下げることができる。しかしデータドライバの許容電力損失には制限があるので、データ電極駆動回路３２の消費電力がこの制限を超えないように抑制しなければならない。また、パネルの大型化、高精細化が進む中でこの消費電力の削減はプラズマディスプレイパネルの省電力化という意味で重要な役割を果たす。
【００３７】
本実施の形態においては、ｍ本のデータ電極を１６個のデータドライバ３２（１）〜３２（１６）を用いて駆動する構成であるとして説明する。しかし本発明は、データドライバの数等に限定されるものではない。
【００３８】
タイミング発生回路３５は水平同期信号、垂直同期信号に基づき、各回路ブロックの動作を制御する各種のタイミング信号を発生し、それぞれの回路ブロックへ供給する。走査電極駆動回路３３は、タイミング信号に基づき図３に示した駆動電圧波形を作成し、走査電極１２のそれぞれに印加する。維持電極駆動回路３４は、タイミング信号に基づき図３に示した駆動電圧波形を作成し、維持電極１３のそれぞれに印加する。
【００３９】
図６は、本発明の実施の形態におけるプラズマディスプレイ装置３０の画像信号処理回路３１のブロック図である。画像信号処理回路３１は、データ電力削減信号処理部４１、データ電力算出部４２、絵柄負荷算出部４３、制御部４４を有する。
【００４０】
データ電力削減信号処理部４１は、画像信号を、制御部４４の制御に応じてデータ電極駆動回路３２の消費電力を抑制した表示コードに変更する。本実施の形態におけるデータ電力削減信号処理部４１は、サブフィールドコード変換による階調制限により、表示可能な階調数を減らすことに加え、２次元ローパスフィルタにより空間周波数の低い画像への変換や画像信号のレベルの縮小、さらにはサブフィールドのデータをオフするという複数の信号処理を行う。これら複数の信号処理は、データ電力を削減するための信号処理である。それぞれの信号処理のゲイン（強度）はデータ電力の増大と共に強めていく。また、複数ある信号処理の制御の順番についてはそれぞれの信号処理が画質に与える影響の少ないものから順番に処理を行えばよい。
【００４１】
データ電力算出部４２は、画像信号から生成されるサブフィールド毎の画像データに基づきデータドライバ３２（１）〜３２（１６）のそれぞれの消費電力を計算し、それらの最大値を出力する。消費電力の算出は、例えば次のようにして行うことができる。
【００４２】
データドライバ３２における消費電力は、書込み放電を発生させる放電セル（以下、「点灯セル」と呼称する）と書込み放電を発生させない放電セル（以下、「非点灯セル」と呼称する）とが隣り合う数が多いほど増え、点灯セル同士または非点灯セル同士が隣り合う数が多いほど少なくなる。これは、データドライバ３２が、内部に有する複数のスイッチング素子を切換えて書込みパルスを発生させており、点灯セルと非点灯セルとが隣り合う数が多いほどスイッチング素子の切換え回数が増加し、逆に点灯セル同士または非点灯セル同士が隣り合う数が多いほど、スイッチング素子の切換え回数が減少するためである。
【００４３】
データ電力算出部４２では、これを利用して、データドライバ３２における消費電力を算出することができる。例えば、点灯セルを「１」、非点灯セルを「０」とし、隣接する放電セル間で排他的論理和演算を行ってその結果を累積加算する。これにより、点灯セルと非点灯セルとが隣接する箇所の数を計数することができる。このようにして得られる累積加算値とデータドライバ３２における消費電力との関係をあらかじめ調べておき、そのデータをデータ電力算出部４２に持たせておけば、上述の累積加算値を算出することで、消費電力を算出することができる。図７はデータ電力算出部４２の回路ブロック図である。
【００４４】
データ電力算出部４２は、データドライバ３２（１）〜３２（１６）のそれぞれに対する消費電力を計算するドライバ電力算出部１０１（１）〜１０１（１６）と、ドライバ電力算出部１０１（１）〜１０１（１６）のそれぞれの出力を所定の時間累積するドライバ電力累積部１０２（１）〜１０２（１６）と、ドライバ電力累積部１０２（１）〜１０２（１６）のそれぞれの出力の最大値を選択する最大電力選択部１０４とを備えている。このような構成により、データ電力算出部４２はデータドライバ３２（１）〜３２（１６）それぞれの消費電力を算出し、それらの最大値を出力する。
【００４５】
絵柄負荷算出部４３は階調制限を最大まで行った場合の仮想的なデータ電力の算出を行い、算出結果を絵柄負荷として出力する。絵柄負荷は画像パターンに依存して変化するものであり、絵柄負荷の大きさによって、画像パターンが自然画よりのパターンか、市松模様のような幾何学模様に近いパターンかを判別することができる。たとえば、自然画に比べて市松模様では絵柄負荷が大きくなる。データ電力は上述の通り点灯セルと非点灯セルが隣り合う数が多いほど増えるため、自然画のようなパターンに対して階調制限といった信号処理は効果的である。一方、もともと階調表現の少ない市松模様のようなパターンに対して階調制限はほとんど効果がない。この特性を利用して図８のように階調制限を働かせた状態においてのデータ電力の算出を行い、算出結果を絵柄負荷として出力する。すなわち、画像信号を、図８のコードセットを用いて表示する場合のサブフィールドコードに変換し、そのサブフィールドコードを用いて算出したデータ電力を絵柄負荷とする。このときのデータ電力の算出は、データ電力算出部４２で行う方法と同じであり、データドライバ３２（１）〜３２（１６）それぞれの消費電力を算出し、それらの最大値をデータ電力（絵柄負荷）とする。画像パターンは、絵柄負荷が小さい場合は自然画であり、絵柄負荷が大きい場合は市松模様のような特殊パターンであると推定される。なお、図８のコードセットは、１フィールドの中で、それぞれのサブフィールドＳＦ１〜ＳＦ８が最後に点灯するサブフィールドに設定されるとともにそのサブフィールドよりも前のサブフィールドはすべて点灯するように設定されたコードによって表示される階調と、サブフィールドＳＦ１〜ＳＦ８がすべて点灯しない０階調とを、表示できる階調として階調制限した場合のコードセットである。
【００４６】
制御部４４はデータ電力算出結果に基づき、予め設定された電力削減処理開始閾値（以下、「開始閾値」と略記する）を超えた場合はデータ電力削減信号処理部４１に対して電力削減処理解除閾値（以下、「解除閾値」と略記する）を下回るまでデータ電力削減信号処理を継続させる。但し、解除閾値を下回った場合はデータ電力削減信号処理の強度を小さくしていき、画質への影響が大きい処理から小さい処理へ序々に信号処理を戻す方向へ制御する。このとき制御部４４は絵柄負荷算出部４３で算出した結果（絵柄負荷）に応じて解除閾値を設定する。推定されたパターンが市松模様のような特殊なパターンの場合、より電力を削減させる処理が働きやすいため、データ電力削減信号処理の途中で解除閾値を割り込む可能性が高く処理動作の発振が懸念される。この発振防止のためには解除閾値を開始閾値から大幅に引き下げておくことが考えられるが、この場合、データ電力削減信号処理の動作後、データ電力の低い画像信号に切り替わっても信号処理は元に戻らず、画像の表示品位を落とすことにつながってしまう。このため絵柄負荷算出部４３によって絵柄負荷を算出して画像パターンを推定し、画像パターンに応じて最適化された解除閾値を決定する。図９は解除閾値の決定方法を示す図であり、横軸は絵柄負荷算出部４３によって算出された絵柄負荷を示し、縦軸は開始閾値から解除閾値までの引き下げ量ΔＰを示している。このように絵柄負荷算出部４３によって算出された絵柄負荷とそれに対する最適なヒステリシス幅をあらかじめ調べておき、その値を制御部４４に持たせておけばよい。
【００４７】
尚、図９は直線のグラフ（絵柄負荷の増加量に対して一定の比率で引き下げ量ΔＰが増加する関係）となっているが実際はこの限りではない。絵柄負荷が小さい場合に比べて絵柄負荷が大きい場合の方が引き下げ量ΔＰが大きくなる関係であれば、たとえば絵柄負荷に対して引き下げ量ΔＰが階段状に変化する関係でもよい。
【００４８】
図１０Ａ、図１０Ｂ、図１０Ｃは、本発明の実施の形態におけるプラズマディスプレイ装置３０の画像信号処理回路３１の動作を説明する図であり、横軸は時間を示し、縦軸はデータ電力算出部４２によって算出されたデータ電力を示している。
【００４９】
図１０Ａに示したようにデータ電力が開始閾値（第１閾値）を上回ったとき（Ｔ１）、データ電力削減信号処理が開始され、データ電力は下がっていく。このとき、閾値のヒステリシス幅が小さい場合、解除閾値（第２閾値）を下回り（Ｔ２）、データ電力削減信号処理が解除され電力が上昇し、開始閾値を超えると（Ｔ３）再びデータ電力削減信号処理動作に移行する。その後、再び解除閾値（第２閾値）を下回り（Ｔ４）さらにデータ電力削減信号処理が解除され電力が上昇する。つまり画像処理が発振し、画面が一瞬ちらつくなど、パネルの表示品位の低下を招く。ここで、閾値のヒステリシス幅とは、開始閾値と解除閾値との差のことであり、解除閾値は開始閾値よりも低い。
【００５０】
図１０Ｂはこれを回避するためにヒステリシス幅を大きく取った場合である。この場合、図１０Ａと同様にデータ電力が第１閾値を上回ったとき（Ｔ５）、データ電力削減信号処理が開始され、データ電力は低下する。このとき、閾値のヒステリシス幅が十分に大きく、データ電力は第２閾値を下回らないため（Ｔ６）、制御は安定する（Ｔ７）。しかしながら、一度データ電力削減信号処理動作に入るとその状態から戻りにくくなってしまうことが起こり得る。これは過剰なデータ電力削減信号処理が行われ、画面表示品質の低下につながることを意味する。
【００５１】
図１０Ｃは上記の課題を解決するため、解除閾値を絵柄負荷算出部４３のデータ電力算出結果に応じて決定するという方法である。データ電力が第１閾値を上回ったとき（Ｔ８）、データ電力削減信号処理が開始され、データ電力は低下する。このとき、ヒステリシス幅はあらかじめ設定されていた幅ΔＰ１に加え、絵柄付加値の増加に応じて第２閾値はさらにΔＰ２分引き下げられる。これにより、データ電力負荷値は第２閾値を下回ることなく、制御は安定する（Ｔ９）。また、入力の絵柄負荷値が低下すればΔＰ２が減少し、第２閾値が再び上昇する。このとき、データ電力は第２閾値を下回り（Ｔ１０）、再びデータ電力削減信号処理が解除され電力が上昇する。つまり入力画像に応じたヒステリシス幅の設定を行うことで、過剰な画像処理やデータ電力削減信号処理の発振といった表示品質の低下を防止しながらデータ電力を抑制することができる。
【００５２】
なお、本実施の形態に示した各回路ブロックは、上述した各動作を行う電気回路として構成されてもよく、上述した各動作を行うようにプログラムされたプロセッサ等を用いて構成してもよい。
【００５３】
また、本実施の形態において用いた具体的な各数値は、単に一例を挙げたに過ぎず、プラズマディスプレイ装置の仕様等に合わせて、適宜最適な値に設定することが望ましい。
【産業上の利用可能性】
【００５４】
本発明は、画像表示品質の低下を抑えつつデータ電力を抑制する機能を有し、プラズマディスプレイ装置として有用である。
【符号の説明】
【００５５】
１０  パネル
１２  走査電極
１３  維持電極
２２  データ電極
３０  プラズマディスプレイ装置
３１  画像信号処理回路
３２  データ電極駆動回路
４１  データ電力削減信号処理部
４２  データ電力算出部
４３  絵柄負荷算出部
４４  制御部
１０１  ドライバ電力算出部
１０２  ドライバ電力累積部
１０４  最大電力選択部
【図１】
2014016441.tif 000003
【図２】
2014016441.tif 000004
【図３】
2014016441.tif 000005
【図４】
2014016441.tif 000006
【図５】
2014016441.tif 000007
【図６】
2014016441.tif 000008
【図７】
2014016441.tif 000009
【図８】
2014016441.tif 000010
【図９】
2014016441.tif 000011
【図１０Ａ】
2014016441.tif 000012
【図１０Ｂ】
2014016441.tif 000013
【図１０Ｃ】
2014016441.tif 000014